【事件の表示】
　特願２０１８−５１０９６０「グレースケール調整方法及び装置」拒絶査定不服審判事件〔平成２９年　３月　２日国際公開、ＷＯ２０１７／０３１７８７、平成３０年１０月１８日国内公表、特表２０１８−５３０７７６〕について、次のとおり審決する。
【結　論】
　本件審判の請求は、成り立たない。
【理　由】
第１　手続の経緯
　本願は、２０１５年（平成２７年）９月８日（パリ条約による優先権主張外国庁受理２０１５年８月２７日、中華人民共和国）を国際出願日とする出願であって、その手続の経緯は以下のとおりである。
　平成３０年　４月　５日　　：翻訳文の提出
　平成３１年　２月２７日付け：拒絶理由通知書
　令和　元年　６月　３日　　：意見書、手続補正書の提出
　令和　元年１１月２７日付け：拒絶査定（令和元年１２月３日送達、以下「原査定」という。）  
　令和　２年　３月３１日　　：審判請求書、誤訳訂正書の提出
第２　本願発明
　本願の請求項１に係る発明（以下「本願発明」という。）は、令和２年３月３１日にされた誤訳訂正書により補正された特許請求の範囲及び明細書並びに図面の記載からみて、その請求項１に記載された次の事項により特定されるとおりのものと認める。
「【請求項１】
グレースケール調整方法であって、
液晶表示パネルに入力された原画像の全部の画素グレースケール値の平均値を取得して画像グレースケール値とするステップと、
複数の予め設定されたグレースケール補正区間から前記画像グレースケール値に対応する予め設定されたグレースケール補正区間を選択して待機グレースケール補正区間とし、前記予め設定されたグレースケール補正区間にグレースケール補正値が設定されているステップと、
前記待機グレースケール補正区間に対応する前記グレースケール補正値を取得するステップと、
前記グレースケール補正値に応じて前記原画像の画素グレースケール値を補正するステップと、
を含むグレースケール調整方法。」
第３　原査定における拒絶の理由
　原査定の拒絶の理由２は、この出願の請求項１−２、１０−１２に係る発明は、本願の優先日前に日本国内において頒布された下記の引用文献１に記載された発明であるから、特許法第２９条第１項第３号に該当し、特許を受けることができない、というものである。
　　　　　　　　　　　　　　　　記
引用文献１．特開２００７−３２２９０１号公報
第４　引用文献に記載された発明
　原査定の拒絶の理由に引用され、本願の優先日前の平成１９年１２月１３日に頒布された刊行物である特開２００７−３２２９０１号公報（以下「引用文献１」という。）には、「表示装置及びその駆動方法」（発明の名称）に関して、図面とともに以下の事項が記載されている。
＜記載事項１＞
「【００１１】
　上記の第１の目的を達成するための本発明の第１の態様に係る表示装置、あるいは、本発明の第１の態様に係る表示装置の駆動方法における表示装置は、（ａ）マトリクス状に配列された画素から構成された表示領域を有する透過型の液晶表示装置から成る表示部、（ｂ）表示部の背面を照明するバックライト、並びに、（ｃ）外部からの入力信号に基づき、表示部及びバックライトを制御、駆動する駆動部、を備えた表示装置である。
【００１２】
　そして、本発明の第１の態様に係る表示装置にあっては、駆動部は、全入力信号の平均値が、所定の値以上であるか否かを調べ、全入力信号の平均値が所定の値以上である場合、入力信号のγ補正における冪指数をγ11とし、且つ、バックライトの輝度をＹ11に制御し、全入力信号の平均値が所定の値未満である場合、入力信号のγ補正における冪指数をγ12（但し、γ12＞γ11）とし、且つ、バックライトの輝度をＹ12（但し、Ｙ12＞Ｙ11）に制御することを特徴とする。
【００１３】
　また、
本発明の第１の態様に係る表示装置の駆動方法にあっては、全入力信号の平均値が、所定の値以上であるか駆動部において否かを調べ、全入力信号の平均値が所定の値以上である場合、駆動部において、入力信号のγ補正における冪指数をγ11とし、且つ、バックライトの輝度をＹ11に制御し、全入力信号の平均値が所定の値未満である場合、駆動部において、入力信号のγ補正における冪指数をγ12（但し、γ12＞γ11）とし、且つ、バックライトの輝度をＹ12（但し、Ｙ12＞Ｙ11）に制御する
＜記載事項２＞
「【００５５】
　各画素は、副画素［Ｒ］（赤色発光サブピクセル）、副画素［Ｇ］（緑色発光サブピクセル）、及び、副画素［Ｂ］（青色発光サブピクセル）の３つの副画素（サブピクセル）を１組として構成されているが、
以下の実施例の説明においては、副画素［Ｒ，Ｇ，Ｂ］のそれぞれの輝度の制御（階調制御）を８ビット制御とし、０〜２５５の２8段階にて行うとする
液晶表示装置駆動回路９０に入力される入力信号［Ｒ，Ｇ，Ｂ］の値ｘR，ｘG，ｘBのそれぞれは、２8段階の値をとる
【００５６】
　
画素のそれぞれに、画素のそれぞれの光透過率Ｌｔを制御する制御信号が駆動部から供給される
具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路９０から供給される
即ち、液晶表示装置駆動回路９０においては、入力された入力信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される
制御信号［Ｒ，Ｇ，Ｂ］は、基本的に、入力信号［Ｒ，Ｇ，Ｂ］の値をγ補正した値に対して、光源輝度Ｙの変化に基づく補正（補償）を行った値を有する
【００５７】
　表示輝度ｙ及び光源輝度Ｙの制御は、カラー液晶表示装置１０の画像表示における１画像表示フレーム毎、表示領域ユニット毎、光源ユニット毎に行われる。また、１画像表示フレーム内におけるカラー液晶表示装置１０の動作とバックライト４０の動作とは同期させられる。」
＜記載事項３＞
「【実施例１】【００５８】
　実施例１は、本発明の第１の態様に係る表示装置及びその駆動方法に関する。実施例１の表示装置は、上述したとおり、 （ａ）マトリクス状に配列された画素から構成された表示領域１１を有する透過型のカラー液晶表示装置１０から成る表示部、 （ｂ）表示部（カラー液晶表示装置１０）の背面を照明するバックライト４０、並びに、 （ｃ）外部からの入力信号［Ｒ，Ｇ，Ｂ］に基づき、表示部（カラー液晶表示装置１０）及びバックライト４０を制御、駆動する駆動部７０，８０，９０、を備えている。
【００５９】
　
そして、駆動部は、全入力信号［Ｒ，Ｇ，Ｂ］の平均値ｘaveが、所定の値ＰＤ1以上であるか否かを調べ、全入力信号［Ｒ，Ｇ，Ｂ］の平均値ｘaveが所定の値ＰＤ1以上である場合、入力信号［Ｒ，Ｇ，Ｂ］のγ補正における冪指数をγ11とし、且つ、バックライト４０の輝度を光源輝度Ｙ11に制御し、全入力信号［Ｒ，Ｇ，Ｂ］の平均値ｘaveが所定の値ＰＤ1未満である場合、入力信号［Ｒ，Ｇ，Ｂ］のγ補正における冪指数をγ12（但し、γ12＞γ11）とし、且つ、バックライト４０の輝度を光源輝度Ｙ12（但し、Ｙ12＞Ｙ11）に制御する
【００６０】
　実施例１、あるいは、後述する実施例２において、所定の値ＰＤ1は、表示装置において種々の表示試験を行い、決定すればよい。また、γ11の値を２．２とした。
【００６１】
　以下、実施例１における表示装置の駆動方法を、図１、図４及び図５を参照して説明する。
【００６２】
［ステップ−１００］ スキャンコンバータ等の周知のディスプレイ回路から送出された１画像表示フレーム分の入力信号［Ｒ，Ｇ，Ｂ］及びクロック信号ＣＬＫは、バックライト制御回路７０及び液晶表示装置駆動回路９０に入力される（図４参照）。尚、入力信号［Ｒ，Ｇ，Ｂ］は、例えば撮像管への入力光量をｙinとしたとき、撮像管からの出力信号であり、例えば放送局等から出力され、画素の光透過率Ｌｔを制御するために液晶表示装置駆動回路９０にも入力される入力信号であり、入力光量ｙinの０．４５乗の関数で表すことができる。そして、バックライト制御回路７０に入力された１画像表示フレーム分の入力信号［Ｒ，Ｇ，Ｂ］の値ｘR，ｘG，ｘBは、バックライト制御回路７０を構成する記憶装置（メモリ）７２に、一旦、記憶される。
また、液晶表示装置駆動回路９０に入力された１画像表示フレーム分の入力信号［Ｒ，Ｇ，Ｂ］の値ｘR，ｘG，ｘBも、液晶表示装置駆動回路９０を構成する記憶装置（図示せず）に、一旦、記憶される
【００６３】
［ステップ−１１０］ 次いで、バックライト制御回路７０を構成する演算回路７１においては、記憶装置７２に記憶された全ての入力信号［Ｒ，Ｇ，Ｂ］の値を読み出し、
入力信号［Ｒ，Ｇ，Ｂ］の平均値ｘaveを求める
そして、平均値ｘaveが所定の値ＰＤ1以上であるか否かを調べる
【００６４】
［ステップ−１２０］ そして、
全入力信号の平均値ｘaveが所定の値ＰＤ1以上である場合、即ち、
ｘave≧ＰＤ1
平均値フラグ＝０
である場合、入力信号のγ補正における冪指数をγ11（＝２．２）とする
【００６５】
　一方、
全入力信号の平均値ｘaveが所定の値ＰＤ1未満である場合、即ち、
ｘave＜ＰＤ1
平均値フラグ＝１
である場合、入力信号のγ補正における冪指数をγ12（但し、γ12＞γ11）とする
尚、γ11，γ12は、予め、液晶表示装置駆動回路９０を構成する記憶装置に記憶されている
【００６６】
　以上に説明した［ステップ−１２０］における処理にあっては、更には、より具体的には、バックライト４０における赤色発光ダイオード４１Ｒの発光時間を制御するためのパルス幅変調出力信号の値ＳR（Ｙ11），ＳR（Ｙ12）、緑色発光ダイオード４１Ｇの発光時間を制御するためのパルス幅変調出力信号の値ＳG（Ｙ11），ＳG（Ｙ12）、青色発光ダイオード４１Ｂの発光時間を制御するためのパルス幅変調出力信号の値ＳB（Ｙ11），ＳB（Ｙ12）が、記憶装置７２に記憶されており、平均値フラグの値に応じて、演算回路７１によってこれらの値が読み出される。尚、「ＳR（Ｙ11）」とは、バックライト４０の輝度を光源輝度Ｙ11とするために必要とされるパルス幅変調出力信号の値ＳRを意味する。
【００６７】
［ステップ−１３０］ 次に、バックライト制御回路７０を構成する演算回路７１において得られたパルス幅変調出力信号の値は、光源ユニット駆動回路８０の記憶装置８２に送出され、記憶装置８２において記憶される。また、クロック信号ＣＬＫも光源ユニット駆動回路８０に送出される（図５参照）。
【００６８】
　そして、パルス幅変調出力信号の値［ＳR（Ｙ11），ＳG（Ｙ11），ＳB（Ｙ11）］又は［ＳR（Ｙ12），ＳG（Ｙ12），ＳB（Ｙ12）］に基づき、バックライト４０を構成する赤色発光ダイオード４１Ｒのオン時間ｔR-ON及びオフ時間ｔR-OFF、緑色発光ダイオード４１Ｇのオン時間ｔG-ON及びオフ時間ｔG-OFF、青色発光ダイオード４１Ｂのオン時間ｔB-ON及びオフ時間ｔB-OFFを演算回路８１は決定する。尚、
ｔR-ON＋ｔR-OFF＝ｔG-ON＋ｔG-OFF＝ｔB-ON＋ｔB-OFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【００６９】
　そして、バックライト４０を構成する赤色発光ダイオード４１Ｒ，緑色発光ダイオード４１Ｇ、青色発光ダイオード４１Ｂのオン時間ｔR-ON，ｔG-ON，ｔB-ONに相当する信号が、ＬＥＤ駆動回路８３に送られ、このＬＥＤ駆動回路８３から、オン時間ｔR-ON，ｔG-ON，ｔB-ONに相当する信号の値に基づき、スイッチング素子８５Ｒ，８５Ｇ，８５Ｂが、オン時間ｔR-ON，ｔG-ON，ｔB-ONだけオン状態となり、発光ダイオード駆動電源８６からのＬＥＤ駆動電流が、各発光ダイオード４１Ｒ，４１Ｇ，４１Ｂに流される。その結果、各発光ダイオード４１Ｒ，４１Ｇ，４１Ｂは、１画像表示フレームにおいて、オン時間ｔR-ON，ｔG-ON，ｔB-ONだけ発光する。こうして、表示領域１１を、所定の照度において照明する。
【００７０】
［ステップ−１４０］ 
一方、液晶表示装置駆動回路９０に入力された入力信号［Ｒ，Ｇ，Ｂ］の値ｘR，ｘG，ｘB及びγ値フラグがタイミングコントローラ９１へ送られ、タイミングコントローラ９１にあっては、入力された入力信号［Ｒ，Ｇ，Ｂ］に相当する制御信号［Ｒ，Ｇ，Ｂ］を、副画素［Ｒ，Ｇ，Ｂ］に供給（出力）する
液晶表示装置駆動回路９０から副画素［Ｒ，Ｇ，Ｂ］に供給される制御信号［Ｒ，Ｇ，Ｂ］の値ＸR，ＸG，ＸBと、入力信号［Ｒ，Ｇ，Ｂ］の値ｘR，ｘG，ｘBとは、γ値フラグが「０」の場合には、以下の式（１−１）、式（１−２）、式（１−３）の関係にあるし、γ値フラグが「１」の場合には、以下の式（２−１）、式（２−２）、式（２−３）の関係にある
【００７１】
ＸR＝ｆ（ｘR（γ11）） （１−１）
ＸG＝ｆ（ｘG（γ11）） （１−２）
ＸB＝ｆ（ｘB（γ11）） （１−３）
【００７２】
ＸR＝ｆ（ｘR（γ12）） （２−１）
ＸG＝ｆ（ｘG（γ12）） （２−２）
ＸB＝ｆ（ｘB（γ12）） （２−３）
【００７３】
　こうして、１画像表示フレームにおける画像表示動作が完了する。
【００７４】
　γ11の値を２．２とし、γ12＝２．４とし、Ｙ12／Ｙ11＝２．０としたときの、正規化された入力信号の値と、表示輝度との関係を図３に示す。尚、図３の横軸は、正規化された入力信号（ｘ）の値であり、縦軸は、正規化された表示輝度（ｙ）の値である。また、図３において、曲線「ａ」は、バックライト４０が通常の明るさ（即ち、正規化された表示輝度の値として１．０）であって、γ11＝２．２の場合を示し、曲線「ｂ」は、γ11＝２．２の状態で、バックライト４０の明るさが２倍に増加した場合（正規化された表示輝度の値として２．０）を示す。これらの曲線「ａ」，「ｂ」を比較すると、入力信号（ｘ）の値が大きい場合（即ち、正規化された入力信号のレベルが１．０に近い場合）に所望の高い表示輝度が得られる一方で、入力信号（ｘ）の値が小さい場合（正規化された入力信号のレベルが０に近い場合）にも同様に表示輝度が高くなるため、本来再現したい階調レベル、即ち、入力信号（ｘ）が小さい場合における曲線「ａ」のカーブからずれてしまう。曲線「ｃ」は、バックライト４０の明るさが２倍に増加され、γ12＝２．４とした場合の状態を示す。曲線「ｃ」から、正規化された入力信号（ｘ）の値が小さい場合、正規化された表示輝度（ｙ）の値の曲線「ａ」から得られる値に対する差異が小さいことが判る。即ち、表示画面全体の明るさが比較的暗い場合、バックライト４０の輝度を増加させる一方、入力信号のγ補正における冪指数を増加させるので、明るく表示すべき表示画面の部分を一層明るく表示することができ、しかも、黒表示部分の明るさの増加を抑制することができ、γ補正のパラメータを変更する簡単な制御によって、画像表示の品質が低下してしまうといった問題の発生を確実に回避することができる。」
【図１】
【図３】
　以上を総合すると、上記記載事項１〜３及び上記図１、３の記載からみて、引用文献１には、以下の発明（以下「引用発明」という。）が記載されているものと認められる。
「２8段階の階調制御を行うための入力信号［Ｒ，Ｇ，Ｂ］から生成された制御信号［Ｒ，Ｇ，Ｂ］によって、画素のそれぞれの光透過率Ｌｔを制御する方法であって（【００５５】、【００５６】）、
　液晶表示装置駆動回路９０に入力された１画像表示フレーム分の入力信号［Ｒ，Ｇ，Ｂ］の平均値ｘaveを求めるステップと（【００６２】、【００６３】、【図１】）、
　上記平均値ｘaveが所定の値ＰＤ1以上であるか否かを調べ、所定の値ＰＤ1以上である場合、入力信号［Ｒ，Ｇ，Ｂ］のγ補正における冪指数をγ11とし、且つバックライト４０の輝度を光源輝度Ｙ11とし、所定の値ＰＤ1未満である場合、入力信号［Ｒ，Ｇ，Ｂ］のγ補正における冪指数をγ12（但し、γ12＞γ11）とし、且つバックライト４０の輝度を光源輝度Ｙ12（但し、Ｙ12＞Ｙ11）とし、当該γ11、γ12は、予め、液晶表示装置駆動回路９０を構成する記憶装置に記憶されているステップと（【００５９】、【００６４】、【００６５】、【図１】）、
　上記入力信号［Ｒ，Ｇ，Ｂ］の値を、上記γ11又はγ12でγ補正した値に対して、光源輝度Ｙの変化に基づく補正（補償）を行った値を有する制御信号［Ｒ，Ｇ，Ｂ］を生成するステップと（【００５６】、【００６４】、【００６５】、【図１】）、
　を含む、２8段階の階調制御を行うための入力信号［Ｒ，Ｇ，Ｂ］から生成された制御信号［Ｒ，Ｇ，Ｂ］によって、画素のそれぞれの光透過率Ｌｔを制御する方法（【００５５】、【００５６】）。」
第５　対比・判断
　本願発明と引用発明を対比する。
ア　液晶表示装置において、画素の透過率を制御することでグレースケール調整が行われることは技術常識であるから、引用発明の「２8段階の階調制御を行うための入力信号［Ｒ，Ｇ，Ｂ］から生成された制御信号［Ｒ，Ｇ，Ｂ］によって、画素のそれぞれの光透過率Ｌｔを制御する方法」は、本願発明の「グレースケール調整方法」に相当する。
イ　引用発明の「液晶表示装置駆動回路９０に入力された」は、本願発明の「液晶表示パネルに入力された」に相当する。
　引用発明の「入力信号［Ｒ，Ｇ，Ｂ］」は、本願発明の「原画像の画素グレースケール値」に相当し、引用発明の「１画像表示フレーム分の入力信号［Ｒ，Ｇ，Ｂ］」は、本願発明の「原画像の全部の画素グレースケール値」に相当する。したがって、引用発明の「１画像表示フレーム分の入力信号［Ｒ，Ｇ，Ｂ］の平均値ｘaveを求める」は、本願発明の「原画像の全部の画素グレースケール値の平均値を取得して画像グレースケール値とする」に相当する。
　よって、引用発明の「液晶表示装置駆動回路９０に入力された１画像表示フレーム分の入力信号［Ｒ，Ｇ，Ｂ］の平均値ｘaveを求めるステップ」は、本願発明の「液晶表示パネルに入力された原画像の全部の画素グレースケール値の平均値を取得して画像グレースケール値とするステップ」に相当する。
ウ　引用発明において、入力信号［Ｒ，Ｇ，Ｂ］は２8段階の階調（０〜２５５）を示し、１画像表示フレーム分の平均値も０〜２５５の範囲内にあることになるから、平均値が所定の値ＰＤ1以上であるか否かを調べるとは、平均値が、０〜ＰＤ1、ＰＤ1〜２５５のいずれの範囲に含まれるのかを調べることと等価であり、さらに、ＰＤ1は予め設定された値であり、当該ＰＤ1によって画定される上記２つの範囲も予め設定された区間であるといえることを踏まえれば、引用発明の「上記平均値ｘaveが所定の値ＰＤ1以上であるか否かを調べ」ることは、本願発明の「複数の予め設定されたグレースケール補正区間から前記画像グレースケール値に対応する予め設定されたグレースケール補正区間を選択」することに相当する。そして、後述のとおり、引用発明では、選択された区間に対応する冪指数でγ補正を行っていることから、当該選択された区間は、γ補正の準備のための待機された区間といえる。
　そして、引用発明の「所定の値ＰＤ1以上である場合、入力信号［Ｒ，Ｇ，Ｂ］のγ補正における冪指数をγ11とし」、「所定の値ＰＤ1未満である場合、入力信号［Ｒ，Ｇ，Ｂ］のγ補正における冪指数をγ12（但し、γ12＞γ11）とし」、「当該γ11、γ12は、予め、液晶表示装置駆動回路９０を構成する記憶装置に記憶されている」ことは、γ11、γ12が、０〜ＰＤ1、ＰＤ1〜２５５の各範囲に紐付けられた状態で記憶装置に記憶されているとともに、１画像表示フレーム分の平均値がいずれの範囲に含まれるかに応じて、当該範囲に紐付けられたγ11、γ12のいずれかが読み出されることを意味するから、本願発明の「予め設定されたグレースケール補正区間にグレースケール補正値が設定されている」、「待機グレースケール補正区間に対応する前記グレースケール補正値を取得する」ことに相当する。
　よって、引用発明の「上記平均値ｘaveが所定の値ＰＤ1以上であるか否かを調べ、所定の値ＰＤ1以上である場合、入力信号［Ｒ，Ｇ，Ｂ］のγ補正における冪指数をγ11とし、且つバックライト４０の輝度を光源輝度Ｙ11とし、所定の値ＰＤ1未満である場合、入力信号［Ｒ，Ｇ，Ｂ］のγ補正における冪指数をγ12（但し、γ12＞γ11）とし、且つバックライト４０の輝度を光源輝度Ｙ12（但し、Ｙ12＞Ｙ11）とし、当該γ11、γ12は、予め、液晶表示装置駆動回路９０を構成する記憶装置に記憶されているステップ」は、本願発明の「複数の予め設定されたグレースケール補正区間から前記画像グレースケール値に対応する予め設定されたグレースケール補正区間を選択して待機グレースケール補正区間とし、前記予め設定されたグレースケール補正区間にグレースケール補正値が設定されているステップ」及び「前記待機グレースケール補正区間に対応する前記グレースケール補正値を取得するステップ」に相当する。
エ　引用発明の「γ11又はγ12」及び「入力信号［Ｒ，Ｇ，Ｂ］の値」を「γ補正」することは、それぞれ本願発明の「グレースケール補正値」及び「原画像の画素グレースケール値を補正する」ことに相当する。
　そして、引用発明では、「所定の値ＰＤ1以上である場合、入力信号［Ｒ，Ｇ，Ｂ］のγ補正における冪指数をγ11とし」、「所定の値ＰＤ1未満である場合、入力信号［Ｒ，Ｇ，Ｂ］のγ補正における冪指数をγ12（但し、γ12＞γ11）とし」ており、「冪指数」の値を場合に応じて変えているから、「γ11又はγ12」に応じて「γ補正」を行っているといえる。
　よって、引用発明の「上記入力信号［Ｒ，Ｇ，Ｂ］の値を、上記γ11又はγ12でγ補正」することは、本願発明の「前記グレースケール補正値に応じて前記原画像の画素グレースケール値を補正するステップ」に相当する。
オ　したがって、本願発明と引用発明の両者は、全ての点で一致することから、本願発明は引用文献１に記載された発明である
第６　請求人の主張について
（１）請求人の主張
　請求人は、審判請求の理由において、以下の主張をしている。
（主張１）
　引用文献1は、バックライトの明るさを制御する方法（引用文献１の請求項1を参照）であり、より具体的には、引用文献１の段落００１０に記載するように、表示画面全体において、黒表示部分が明るくなると、画像表示の品質が低下してしまうといった問題を回避するために、引用文献１の請求項１に係る方法を提案しています。
　また、引用文献１の「発明の効果」に記載されるように、引用文献１は、請求項１に係る発明によって、バックライトの輝度を高め、明るい表示画面を表示すべき部分の輝度をさらに高めることができ、また、黒で表示されるべき部分の明るさの増加が抑制されることができます。すなわち、引用文献１の内容によれば、引用文献１のバックライト輝度の制御方法は、本願発明のグレースケー調整方法とは全く異なることが分かります。
（主張２）
　引用文献１の請求項１の技術内容では、輝度に関するすべての入力信号の平均値が所定値以上であるかどうかを確認することを特徴としています。所定値よりも大きい場合、入力信号をγ11に補正し、且つバックライト輝度をY11に制御し、所定値よりも小さい場合、入力信号をγ12に補正し、バックライト輝度をY12に制御します。すなわち、引用文献１の信号の補正は、バックライト輝度の制御と同期しており、補正後の信号γ１１およびγ１２に基づいてバックライト輝度は制御されていません。これは、本願発明の「グレースケール補正値に応じて前記原画像の画素グレースケール値を補正する」との技術的特徴とはまったく異なります。
　実際、引用文献1のバックライト輝度の制御では、引用文献１の請求項2に記載されているとおりです。表示領域の最大入力信号の値に基づいて制御を行うことです。この記載より、補正信号γ11およびγ12に応じて輝度を制御しないことが明確に示されています。したがって、本願発明のグレースケール値を補正する方法は、引用文献1とは全く異なることは分かります。
（主張３）
　独立請求項１および独立請求項５のグレースケール調整方法、および独立請求項９のグレースケール調整装置は、引用文献１のバックライト輝度制御装置および方法（すなわち、表示装置およびその駆動方法）と実質的に異なり、且つ、引用文献１には、「画像グレースケールの平均値を取得し、画像のグレースケール平均値に応じて対応する補正値を取得し、その補正値を使用して、前記原画像の画素グレースケール値を補正すること」が開示または教示されていません。
（２）請求人の主張についての検討
　上記主張１について検討すると、引用文献１の【００５６】には、「尚、バックライトあるいは光源ユニット４２の光源輝度Ｙを１画像表示フレーム毎に変化させるので、制御信号［Ｒ，Ｇ，Ｂ］は、基本的に、入力信号［Ｒ，Ｇ，Ｂ］の値をγ補正した値に対して、光源輝度Ｙの変化に基づく補正（補償）を行った値を有する。」と記載されているように、引用発明は、単に、バックライトの輝度だけでなく、入力信号であるグレースケール値に対して、γ補正及び光源輝度の変化に基づく補正を行っており、当該補正が輝度向上だけでなく、グレースケールの調整を併せて行っていることは明らかである。なお、本願の請求項１には、光源輝度を調整することの有無について特定されておらず、グレースケール調整に加えて、光源輝度調整を併せて行うものを排除していない。したがって、主張１は採用できない。
　次に上記主張２について検討すると、請求人は、引用文献１の信号の補正は、バックライト輝度の制御と同期しており、補正後の信号γ１１およびγ１２に基づいてバックライト輝度は制御されていないから、本願発明の「グレースケール補正値に応じて前記原画像の画素グレースケール値を補正する」との技術的特徴とはまったく異なることを主張しているが、請求項１には、グレースケール補正値に応じて、原画像の画素グレースケール値を補正することが記載されているのであって、グレースケール補正値に応じて、バックライトの輝度を制御することは記載されていないから、当該主張は、請求項１の記載に基づくものではない。したがって、主張２は採用できない
　最後に、上記主張３について検討すると、引用文献１には、「画像グレースケールの平均値を取得し、画像のグレースケール平均値に応じて対応する補正値を取得し、その補正値を使用して、前記原画像の画素グレースケール値を補正すること」が開示または教示されていないとのことであるが、引用発明が上記構成を有していることは、前記第４、第５で示したとおりである。したがって、主張３は採用できない。
　以上検討のとおり、請求人の上記主張１〜３はいずれも採用することができないものであり、請求人の主張を参酌しても、前記第５のオの結論は変わらない。
第７　むすび
　以上のとおり、本願発明は、上記引用文献１に記載された発明であるから、特許法第２９条第１項第３号に該当し、特許を受けることができない。
　したがって、他の請求項に係る発明について審理するまでもなく、本願は拒絶すべきものである。
　よって、結論のとおり審決する。